(57)【要約】【課題】飲料をその都度収納スペースから出入れしなくても、おいしく飲める温度に保つことが出来るように構成された車載保温装置を実現する。【解決手段】冷温板７３を車載保温装置３の内部に設置し、車載保温装置３の上部から温冷板７３の上面に達する穴３１を設け、該穴３１に飲料容器等を挿入して保温可能に構成したことを特徴とする車載保温装置３。【選択図】図１
2004224236.tif 000002
【特許請求の範囲】
【請求項１】
冷温板と、
前記冷温板を冷却または加熱することができる温度制御装置とを備える車載保温装置において、
前記冷温板を前記車載保温装置の内部に設置し、前記車載保温装置の上部から前記冷温板の上面に達する穴を設け、該穴に飲料容器等を挿入して保温可能に構成したことを特徴とする車載保温装置。
【請求項２】
前記温冷板の下面に配置される収納スペースを備える請求項１に記載の車載保温装置。
【請求項３】
前記温度制御装置はペルチェ素子を備える請求項１または２に記載の車載保温装置。
【請求項４】
前記車両に対して移動可能にするスライド装置を備える請求項１、２または３のいずれかに記載の車載保温装置。
【発明の詳細な説明】
【０００１】
【発明の属する技術分野】
本発明は、車両の中で冷たく、または暖かくした飲料や食べ物を提供できるようにする車載保温装置に関する。
【０００２】
【従来の技術】
このような車載保温装置においては、従来家庭用の保温装置と同様の構造になっていて、飲料や食べ物を収納するスペースには蓋を設けて構成する方法を採っている。
【０００３】
（例えば、特許文献１参照。）。
【０００４】
【特許文献１】
特開平９−２０２１６８号公報
【０００５】
【発明が解決しようとする課題】
しかしながら、特開平９−２０２１６８号公報に開示された従来技術による車載保温装置では、特に飲料を快適な温度で飲むためには、その度に保温された収納スペースから、その蓋を開けて取り出さなければならないものである。しかし、特に上下に振動し、前後横方向の揺れが加わる車両では、コップに入った飲料をこぼしてしまう危険がある。
【０００６】
そこで、本発明の解決すべき課題は、このような問題を解決するために飲料をその都度収納スペースから出し入れしなくても、おいしく飲める温度に保つことが出来るように構成された車載保温装置を実現することである。
【０００７】
【課題を解決するための手段】
上記課題を解決するため、本発明で講じた第１の技術的な手段は、冷温板と、前記冷温板を冷却または加熱することができる温度制御装置とを備える車載保温装置において、前記冷温板を前記車載保温装置の内部に設置し、前記車載保温装置の上部から前記冷温板の上面に達する穴を設け、該穴に飲料容器等を挿入して保温可能に構成したことである。
【０００８】
上記の構成によって、飲料のボトル又はカップは上部に設けられた穴部に差込むことで保温できるために、使用の度に蓋を開けて保温スペースからの出し入れをしなくてもよい。
【０００９】
本発明で講じた第２の技術的手段は、上記第１の手段に加えて、前記温冷板の下面に配置される収納スペースを備えるようにしたことである。
【００１０】
この構成で、温冷板によって保温される収納スペースが確保され、当面使わない飲料、食物等を保温して収納しておくことができる。
【００１１】
また、本発明で講じた第３の技術的手段は、上記第１または２の手段に加えて、前記温度制御装置はペルチェ素子を備えるように構成したことである。
【００１２】
この構成によって、ペルチェ素子で供給する電力の極性を変えることで飲料や食べ物を冷たく、または暖かくできる。
【００１３】
更に、本発明で講じた第４の技術的手段は、上記第１、第２または第３のいずれかの手段に加えて、前記車両に対して移動可能にするスライド装置を備えるようにしたことである。
【００１４】
この構成によって、車両の前後の席に着座する乗員が容易に手が車載保温装置に届くように位置の調整が可能となる。
【００１５】
【発明の実施の形態】
以下、本発明を具体化した実施形態を図１、図２および図３に従って説明する。
【００１６】
図１に示すように、車載保温装置３は車両１の車室１ａ内において、運転席１１と助手席１２の間に配置され、且つリア席１３の着座者からも利用可能なように車両１のフロア１５に取り付けられたスライド装置４によって、車両１の前後方向に移動可能に構成されている。
【００１７】
図２に車載保温装置３を断面図で示すように、車載保温装置３の本体５内部のスペースは複数の上下の段に区切られて、収納スペース３６、３７が形成されている。各収納スペース３６、３７は引出し３４、３５を備え、これによっていろいろな物を収納できる構成である。特に最上段の収納スペース３７は後述する温度制御装置７によって、加熱または冷却することが出来るように構成され、飲料や食物を利用者の好みの温度に保温収納できる構成になっている。
【００１８】
図２に示されるように、温度制御装置７は既知のペルチャ素子７２を利用したヒートポンプ７１を備える。ヒートポンプ７１は最上段の収納スペース３７の後部を仕切り壁５４で区切って設けられた温度制御室３８内に取り付けられる。温度制御室３８は更に水平仕切り５５で上下区画３８ａ、３８ｂに区切られ、ヒートポンプ７１の上端は上側区画３８ａに、下端は下側区画３８ｂに位置するように配置されている。ペルチャ素子７２に電力を供給することによって、ヒートポンプ７１の上部が低温に、下部が高温になるように、更には電力の極性を変えることによって高温と低温部が逆になるように作動させることができるものである。
【００１９】
ヒートポンプ７１の上端には熱伝導に優れる金属製の冷温板７３が固定され、冷温板７３は最上段の収納スペース３７の上部面積を占めるように前方に伸びて配置されている。これによって、例えばヒートポンプ７１の上端が低温になるように作動しているときは、冷温板７３は冷やされ収納スペース３７を低温に保つことができる構成である。このときヒートポンプ７１の下端は高温になるが、図示しないファンなどを用いて通気穴５１からの空気で熱が取り除かれる。また、飲み物や食物を温かくするときは、図示しない切換えスイッチの操作によって、ペルチャ素子７２に供給する電力の極性を変えて冷温板７３を加熱すれば収納スペース３７を高温に保つこともできる。また、収納スペース３７の必要個所には、温度センサー（図示せず）が適宜配置され消費電力が最小にするように温度が制御される。
【００２０】
図２に示されるように、保温装置３の本体５の上部には、小物入れのための窪み５３ａを備える上板部５３と、上板部５３の下に断熱材部５２が配置されている。そして、上板部５３と断熱材部５２を上下方向に貫通して、穴３１がその底が冷温板７３に到達するように形成されている。図２に示されるように、穴３１に、飲料のボトル９を挿入して、飲料を好みの温度にするように利用することができる。また、穴３１は十分深く形成され、且つ底部の周囲は断熱材部５２であるために、ボトル９が挿入されていないときでも冷温板７３の温度は逃げ難く、保温のための電力消費は抑えられる。
【００２１】
図３に示されるように、保温装置３を前後に移動させ、位置を調整可能とするスライド装置４は、フロア１５（図２）上に取り付けされる。スライド装置４は車両の前後方向に並行に伸びるガイドロッド４２と駆動スクリュ４１を備える。ガイドロッド４２と駆動スクリュ４１夫々の前端部はフロントホルダ４６によって、また後端でリヤホルダ４４に支持されている。リヤホルダ４４内には電動モータ（図示せず）が内蔵され、駆動スクリュ４１を回転できるように構成されている。更に、駆動スクリュ４１とガイドロッド４２とを橋渡しするように、スライダ４３が取り付けられ、ガイドロッド４２はスライダ４３を貫通し互いに摺動可能になっている。更に、スライダ４３には駆動スクリュ４１と螺合するナット部（図示せず）が一体に設けられ、駆動スクリュ４１を回転することによってスライダ４３を前後方向に移動させることができる構成となっている。そして、スライダ４３と保温装置３は一体的に固定されている。
【００２２】
保温装置３への電力供給は図示しない操作スイッチ等を含む制御装置から、コネクタ４５、リヤホルダ４４、配線４９を介し、スライダ４３に設けられた保温装置３を係止する複数の係止金具４３ａのいずれかを利用して行われる。
【００２３】
以上のように構成された車載保温装置３は、車載保温装置３の上に設けられた穴３１に飲料のボトル９、またはコップなどを差込み、常に希望の温度に保持することができるようになる。そして、操作スイッチを操作して車載保温装置３を移動させれば、運転席、助手席及びリヤ席からでも、持ち運びせずに飲料が受け取られるようになる。
【００２４】
【発明の効果】
本発明の車載保温装置３では、飲料が常に利用者の手の届くところで保温されて置かれるために、利用の度に蓋を開いて保温スペースなどから頻繁に取り出す必要がなく、揺れる車室内でも飲料をこぼしてしまうような危険が少なくなって、便利になる。
【図面の簡単な説明】
【図１】本発明に関る車載保温装置を備える車両の車室内の斜視図である。
【図２】本発明に関る車載保温装置の中央部での断面図である。
【図３】本発明に関る車載保温装置の分解斜視図。
【符号の説明】
４      スライド装置
７      温度制御装置
３１      穴
３７      収納スペース
７１      ペルチェ素子
７２      冷温板
【図１】
2004224236.tif 000003
【図２】
2004224236.tif 000004
【図３】
2004224236.tif 000005